(57)【要約】【課題】刷毛の広がりを調整することが可能であって塗布操作性を向上することができるネールエナメル容器を提供する。【解決手段】ネールエナメル液を収容する容器本体１に着脱自在に設けられる蓋体２と、窄めることが可能に広がりをもって形成され、ネールエナメル液が付着される刷毛３と、蓋体２に設けられ、刷毛３の広がりよりも狭い出し入れ口４が形成されて、出し入れ口４を介して刷毛３を出し入れ自在な中空筒部５と、蓋体２に移動自在に設けられるとともに刷毛３に連結され、蓋体２に対して移動操作されて刷毛３を中空筒部５から出し入れする操作部材６とを備えた。【選択図】図１
2006115982.tif 000002
【特許請求の範囲】
【請求項１】
ネールエナメル液を収容する容器本体に着脱自在に設けられる蓋体と、窄めることが可能に広がりをもって形成され、ネールエナメル液が付着される刷毛と、上記蓋体に設けられ、上記刷毛の広がりよりも狭い出し入れ口が形成されて、該出し入れ口を介して該刷毛を出し入れ自在な中空筒部と、上記蓋体に移動自在に設けられるとともに上記刷毛に連結され、該蓋体に対して移動操作されて該刷毛を上記中空筒部から出し入れする操作部材とを備えたことを特徴とするネールエナメル容器。
【請求項２】
前記中空筒部は、前記刷毛全体を収納する寸法で形成されることを特徴とする請求項１に記載のネールエナメル容器。
【発明の詳細な説明】
【技術分野】
【０００１】
本発明は、刷毛の広がりを調整することが可能であって塗布操作性を向上することができるネールエナメル容器に関する。
【背景技術】
【０００２】
従来、ネールエナメル液を塗布するための刷毛や、当該刷毛を蓋体などに備えたネールエナメル容器が各種提案されている（特許文献参照）。これら特許文献にあってはいずれも、刷毛に付着させるネールエナメル液の量を加減することで、塗布操作の調節を行うものであった。
【特許文献１】特開平７−１８４７１６号公報
【特許文献２】特開平９−１８２６１８号公報
【特許文献３】特開平９−２５２８３６号公報
【特許文献４】特開２００１−２７５７４４号公報
【特許文献５】特開２００３−１７５９６１号公報
【発明の開示】
【発明が解決しようとする課題】
【０００３】
ところで、ネールエナメル液を爪に塗布するには、刷毛に付着させるネールエナメル液の量を調節することが好ましいことはもちろんであるが、それだけでなく刷毛の広がりも調整することができれば、使用者個々が自分の爪の大きさに刷毛の広がりを合わせてスムーズに塗布することが可能となって、塗布操作の利便性を高めることができると考えられ、そのような構造を備えたネールエナメル容器の案出が望まれていた。
【０００４】
本発明は上記従来の課題に鑑みて創案されたものであって、刷毛の広がりを調整することが可能であって塗布操作性を向上することができるネールエナメル容器を提供することを目的とする。
【課題を解決するための手段】
【０００５】
本発明にかかるネールエナメル容器は、ネールエナメル液を収容する容器本体に着脱自在に設けられる蓋体と、窄めることが可能に広がりをもって形成され、ネールエナメル液が付着される刷毛と、上記蓋体に設けられ、上記刷毛の広がりよりも狭い出し入れ口が形成されて、該出し入れ口を介して該刷毛を出し入れ自在な中空筒部と、上記蓋体に移動自在に設けられるとともに上記刷毛に連結され、該蓋体に対して移動操作されて該刷毛を上記中空筒部から出し入れする操作部材とを備えたことを特徴とする。
【０００６】
また、前記中空筒部は、前記刷毛全体を収納する寸法で形成されることを特徴とする。
【発明の効果】
【０００７】
本発明にかかるネールエナメル容器にあっては、刷毛の広がりを調整することができて塗布操作性を向上することができる。
【発明を実施するための最良の形態】
【０００８】
以下に、本発明にかかるネールエナメル容器の好適な一実施形態を、添付図面を参照して詳細に説明する。本実施形態にかかるネールエナメル容器は基本的には、図１〜図３に示すように、ネールエナメル液を収容する容器本体１に着脱自在に設けられる蓋体２と、窄めることが可能に広がりをもって形成され、ネールエナメル液が付着される刷毛３と、蓋体２に設けられ、刷毛３の広がりよりも狭い出し入れ口４が形成されて、出し入れ口４を介して刷毛３を出し入れ自在な中空筒部５と、蓋体２に移動自在に設けられるとともに刷毛３に連結され、蓋体２に対して移動操作されて刷毛３を中空筒部５から出し入れする操作部材６とを備えて構成される。
【０００９】
容器本体１はその上方部分に、外周に沿って雄ネジ７が形成され、かつ上端部に開口８が形成された円筒状の首部１ａを有し、その内部にはネールエナメル液が収容される。容器本体１の首部１ａには、刷毛３に付着したネールエナメル液を適当にしごき落とすために、ゴム製などのしごき部材９が装着される。このしごき部材９は、円環状のフランジ部９ａと、このフランジ部９ａ内周から下方へ向かって順次窄めてコーン状に形成されたしごき部９ｂとから構成され、フランジ部９ａが開口８周りの首部１ａの上端部を覆って重ね合わされるとともに、しごき部９ｂが首部１ａ内方へ挿入されて、容器本体１に取り付けられる。
【００１０】
蓋体２は、容器本体１の首部１ａを取り囲む円筒状に形成され、その内周に沿って雄ネジ７に着脱自在に螺合される雌ネジ１０が形成された側壁部１１と、側壁部１１の下端周りにこれより外方へ向かって突出形成された環状座部１２と、側壁部１１の上端を封鎖する天井部１３と、天井部１３の中央にその上方から下方へ向かって一連に長く形成された中空筒部５と、この中空筒部５の外回りに天井部１３から立ち上げて形成された環状のガイド壁部１４とから主に構成される。
【００１１】
中空筒部５は、蓋体２が首部１ａに装着されることにより、ネールエナメル液が収容された容器本体１の底部近傍まで達する長さで天井部１３から垂下される。この中空筒部５の上端および下端は開口され、特に下端の開口は、これより刷毛３を出し入れ自在とする出し入れ口４とされる。側壁部１１には、その周方向に適宜間隔を隔てて、蓋体２に対する操作部材６のスライド移動を許容しかつこれら操作部材６と蓋体２との相対回転は阻止するスライド溝１５が形成される。また天井部１３には、これより下方へ突出され、しごき部材９の環状フランジ部９ａと当接されて容器本体１内を液密に保持する環状シール突起１６が形成される。
【００１２】
中空筒部５から出し入れされる刷毛３は、ネールエナメル液が付着される刷毛部分３ａと、刷毛部分３ａをとりまとめて取り付ける要となる基部３ｂと、基部３ｂから刷毛部分３ａとは反対側に突出された連結軸部３ｃとから構成される。特に刷毛部分３ａは、基部側取付端からその末端に向かって相当の広がりをもって形成される一方で、全体を基部３ｂへの取り付け寸法程度に窄めることが可能であって、刷毛部分３ａのこの広がりによりネールエナメル液が容易に付着しかつ塗布操作に便利なように爪に押し当てることができるようになっている。そして特に、この刷毛部分３ａの広がりは中空筒部５の出し入れ口４との関係では、当該出し入れ口４よりも広げて、換言すれば、出し入れ口４は刷毛部分３ａを窄めることができるようにその広がりよりも狭く形成される。
【００１３】
また刷毛部分３ａは、蓋体２が首部１ａに装着された状態において基部３ｂが中空筒部５の出し入れ口４に位置されることで、その末端がほぼ容器本体１の底部に達する程度の長さ寸法で形成され、従って刷毛３はこれを上方へ引き上げることによりその全体が天井部１３から垂下された相当の長さ寸法を有する中空筒部５内に収納されるようになっている。
【００１４】
操作部材６は、蓋体２の側壁部１１を取り囲みつつ、当該蓋体２の環状座部１２上に着座される筒体状の周壁部１７と、この周壁部１７の上端を封鎖する天板部１８と、天板部１８の中央から垂下されて中空筒部５内にスライド自在に挿入され、その下端の軸孔１９に連結軸部３ｃが挿入されて刷毛３と連結される連結ロッド２０と、この連結ロッド２０の外回りに天板部１８から垂下され、蓋体２のガイド壁部１４に摺動自在に摺接されて蓋体２に対する操作部材６のスライド移動を案内する筒状のスライドガイド２１と、周壁部１７の内周面に、蓋体２の各スライド溝１５それぞれと対応させて突出形成され、当該スライド溝１５に案内されて上下方向へは移動自在にかつ蓋体２の周方向にはスライド溝１５に係止されるスライド突起２２とから主に構成され、これにより操作部材６は蓋体２に対し、スライドガイド２１とガイド壁部１４とで案内されつつスライド溝１５内で移動自在なスライド突起２２によって環状座部１２上の着座状態から上下方向にスライド移動自在に設けられ、移動操作されることで連結ロッド２０を介し刷毛部分３ａが中空筒部５の出し入れ口４から出し入れされるようになっている。
【００１５】
また、スライド溝１５には、刷毛３全体が中空筒部５内に引き込まれて収納された位置でスライド突起２２に係脱自在に係合して、蓋体２に対する操作部材６のスライド移動位置を保持するためのストッパ２３が突出形成される。他方、スライド突起２２とスライド溝１５とは、雄ネジ７および雌ネジ１０周りの蓋体２と操作部材６の相対回転を阻止すべく側壁部１１と周壁部１７の周方向に互いに係止され、これにより操作部材６を雌ネジ１０等に沿って回転させることにより蓋体２が回転されて、これら雄ネジ７および雌ネジ１０を介して容器本体１に対し蓋体２を締め緩めできるようになっている。さらに連結ロッド２０には刷毛３の基部３ｂとの間に挟んで、中空筒部５内面と刷毛３との間を液密にシールするとともに、中空筒部５に対して摩擦接触して連結ロッド２０のスライド位置、ひいては操作部材６の蓋体２に対するスライド移動位置を保持するＯリング２４が設けられる。
【００１６】
以下に、本実施形態にかかるネールエナメル容器の作用について説明する。まず、ネールエナメル容器、特に蓋体２、操作部材６および刷毛３の組み立てについて説明すると、中空筒部５に連結ロッド２０を挿入しつつ蓋体２に操作部材６を上方から被せ、その後操作部材６を押し下げてスライド突起２２をスライド溝１５内へ押し入れることで蓋体２に操作部材６を組み付けることができる。その後、中空筒部５の出し入れ口４からＯリング２４を挟んで刷毛３の連結軸部３ｃを連結ロッド２０の軸孔１９に挿入すれば、組み立てを完了することができる。
【００１７】
本実施形態にかかるネールエナメル容器の使用にあたっては例えば、操作部材６が環状座部１２に着座している状態で操作部材６をその周方向に回転させると、これら操作部材６および蓋体２の周方向に対するスライド突起２２とスライド溝１５の係止により、雄ネジ７に対して雌ネジ１０を緩めることができて、蓋体２を容器本体１から離脱させることができる。
【００１８】
その後、刷毛３を容器本体１内に位置させた状態であるいは容器本体１から抜き出した状態で、操作部材６を一方の手で摘み、蓋体２を他方の手で保持して、ガイド壁部１４とスライドガイド２１による案内によりスライド溝１５内でスライド突起２２をスライドさせて操作部材６を蓋体２に対してスライド移動操作すれば、連結ロッド２０を中空筒部５内でスライドさせることができ、これにより刷毛３の広がりよりも狭い出し入れ口４からの刷毛部分３ａの出入りを調整して刷毛３の窄め具合、広がり具合を調整することができ、塗布操作性を向上させることができる。特に、本実施形態にあっては、しごき部材９が装着されているので、刷毛３を容器本体１から抜き出す際に刷毛部分３ａに付着しているネールエナメル液の量も調節でき、さらに高い塗布操作の利便性を確保することができる。
【００１９】
刷毛３の窄め具合は、蓋体２を緩める前に行うようにしてもよい。この場合には、まず操作部材６を適宜にスライド移動操作して刷毛部分３ａの広がりを予め調整しておき、その後操作部材６を周方向に回転させて蓋体２を容器本体１から離脱させるようにすればよい。塗布操作に際しては、Ｏリング２４が中空筒部５に摩擦接触しているので、連結ロッド２０、ひいては操作部材６のスライド位置を保持することができ、刷毛部分３ａの窄め具合、広がり具合をほぼ一定に維持することができる。
【００２０】
刷毛３を容器本体１に差し込んで戻す際には、操作部材６をスライド操作してスライド突起２２をスライド溝１５内のストッパ２３に係止させるようにする。これにより刷毛３全体を中空筒部５内に引き上げて収納することができ、容器本体１内に挿入するときに、しごき部材９で刷毛部分３ａがばらけてしまうことを防止することができる。
【図面の簡単な説明】
【００２１】
【図１】本発明にかかるネールエナメル容器の好適な一実施形態を示す一部破断側面図である。
【図２】図１のネールエナメル容器の容器本体から刷毛を抜き出した状態を示す一部破断側面図である。
【図３】図１のネールエナメル容器の刷毛を容器本体に差し込む状態を示す一部破断側面図である。
【符号の説明】
【００２２】
１  容器本体
２  蓋体
３  刷毛
４  出し入れ口
５  中空筒部
６  操作部材
【図１】
2006115982.tif 000003
【図２】
2006115982.tif 000004
【図３】
2006115982.tif 000005